(57)【要約】      （修正有）【課題】包装箱を容易に組み立てる、または容易に分解することが可能な、外箱および外箱の中に収容された内箱を有する柔軟なプラスチック包装箱を提供する。【解決手段】柔軟なプラスチック包装箱は、外箱１０および外箱１０の中に収容される内箱を有する。外箱１０は、第１の開口部１４および第１の開口部１４に隣接する引き裂き線１８が設けられ、第１の開口部１４に隣接する第１係合シート１６を備え、引き裂き線１８が第１の開口部１４から伸びて第１の係合シート１６を囲んでいる。内箱は、第１の係合凹部が設けられている。第１の係合シート１６は、外箱１０の中に曲げられ、内箱が第１の係合凹部によって係合され、外箱１０は、引き裂き線１８に沿って引き裂いて開くことができる。【選択図】図１
0003180692.tif 000002
【実用新案登録請求の範囲】
【請求項１】
第１の開口部および前記第１の開口部に隣接する引き裂き線が設けられた外箱であって、前記第１の開口部に隣接する第１の係合シートを備え、前記引き裂き線が前記第１開口部から伸びて前記第１の係合シートを囲んでなる外箱と、
前記外箱の中に収容され、第１の係合凹部が設けられた内箱と、を有し、
前記第１の係合シートは、前記外箱の中に挿入されるために曲げられ、前記内箱が前記外箱の中にしっかり取り付けられるように前記第１の係合凹部に係合され、前記外箱は、前記第１の係合シートを前記外箱から外すために前記引き裂き線に沿って引き裂いて開くことができる、柔軟なプラスチック包装箱。
【請求項２】
前記外箱は、前記第１の開口部に隣接する前記引き裂き線の端に切込部がさらに設けられている、請求項１に記載の柔軟なプラスチック包装箱。
【請求項３】
前記内箱は、前記第１の係合凹部の反対側に第２の係合凹部がさらに設けられ、
前記外箱は、前記第１の開口部の反対側に第２の開口部がさらに設けられ、前記第２の開口部に隣接し、かつ前記第２の係合凹部に係合される第２の係合シートを備えている、請求項１に記載の柔軟なプラスチック包装箱。
【請求項４】
前記外箱は、２つの折り部を有する紡錘形の中空体であり、
前記第１の係合シートおよび前記第２の係合シートは、前記折り部のうちの１つに隣接してなる、請求項３に記載の柔軟なプラスチック包装箱。
【請求項５】
前記外箱の横断面は、紡錘形、正方形、楕円形または菱形である、請求項３に記載の柔軟なプラスチック包装箱。
【請求項６】
前記第１の係合シートおよび前記第２の係合シートは、前記第１の開口部および前記第２の開口部の端からそれぞれ伸びている矩形状シートである、請求項３に記載の柔軟なプラスチック包装箱。
【請求項７】
第１の係合凹部が設けられた内箱を収容するための外箱であって、
第１の開口部および引き裂き線が設けられるとともに第１の係合シートを備え、
前記第１の係合シートは、当該外箱の中に挿入されるために曲げられ、前記内箱がしっかり取り付けられるように前記第１の係合凹部に係合され、前記第１の係合シートを当該外箱から外すために前記引き裂き線に沿って引き裂いて開くことができる、外箱。
【請求項８】
前記第１の開口部に隣接する前記引き裂き線の端に切込部がさらに設けられている、請求項７に記載の外箱。
【請求項９】
前記内箱は、前記第１の係合凹部の反対側に第２の係合凹部がさらに設けられ、
当該外箱は、前記第１の開口部の反対側に第２の開口部がさらに設けられ、前記第２の開口部に隣接し、かつ前記第２の係合凹部に係合される第２の係合シートを備えている、請求項７に記載の外箱。
【請求項１０】
２つの折り部を有する紡錘形の中空体であり、
前記第１の係合シートおよび前記第２の係合シートは、前記折り部のうちの１つに隣接してなる、請求項９に記載の外箱。
【請求項１１】
横断面は、紡錘形、正方形、楕円形または菱形である、請求項９に記載の外箱。
【請求項１２】
前記第１の係合シートおよび前記第２の係合シートは、前記第１の開口部および前記第２の開口部の端からそれぞれ伸びている矩形状シートである、請求項９に記載の外箱。
【考案の詳細な説明】
【技術分野】
【０００１】
本考案は、包装容器に関し、特に柔軟なプラスチック包装箱および外箱に関する。
【背景技術】
【０００２】
包装箱は、包装産業の中で広く使用されている。典型的な包装箱は、しばしば外箱および外箱の中に収容された内箱から構成されている。しかしながら、内箱が外箱に密接に取り付けられているため、包装箱を組み立てる、または分解することが難しかった。
【０００３】
そのため、新たな包装箱および新たな外箱は、上記欠点を克服することが望まれる。
【考案の概要】
【考案が解決しようとする課題】
【０００４】
上記目的の達成のために、本考案は、外箱および外箱の中に収容された内箱を有する柔軟なプラスチック包装箱を提供する。
【課題を解決するための手段】
【０００５】
外箱は、第１の開口部および第１の開口部に隣接する引き裂き線が設けられ、第１開口部に隣接する第１の係合シートを備え、引き裂き線は、第１の開口部から伸びて第１の係合シートを囲んでいる。内箱は、第１の係合凹部が設けられている。第１の係合シートは、外箱の中に挿入されるために曲げられ、内箱が外箱の中にしっかり取り付けられるように第１の係合凹部に係合され、外箱は、第１の係合シートを外箱から外すために引き裂き線に沿って引き裂いて開くことができる。
【０００６】
柔軟なプラスチック箱の組み立てにおいて、内箱は、外箱の中に収容され、第１の係合シートは、空洞の方へ曲げられ、内箱が外箱の中にしっかり取り付けられるように第１の係合凹部に係合される。外箱から内箱を分離する場合、外箱は、第１の係合シートを外箱および第１の係合凹部から外すために、引き裂き線に沿って引き裂いて開けられ、その結果、内箱は、第１の開口部において外箱から取り出される。柔軟なプラスチック包装箱は、容易に組み立てられ、分解することができる。
【０００７】
好ましくは、外箱は、第１の開口部に隣接する引き裂き線の端に切込部がさらに設けられている。
【０００８】
好ましくは、内箱は、第１の係合凹部の反対側に第２の係合凹部がさらに設けられ、外箱は、第１の開口部の反対側に第２の開口部がさらに設けられ、第２の開口部に隣接し、かつ第２の係合凹部に係合される第２の係合シートを備えている。
【０００９】
好ましくは、外箱は、２つの折り部を有する紡錘形の中空体であり、第１の係合シートおよび第２の係合シートは、折り部のうちの１つに隣接している。
【００１０】
好ましくは、外箱の横断面は、紡錘形、円形、正方形、楕円形または菱形である。
【００１１】
好ましくは、第１の係合シートおよび第２の係合シートは、実質的に第１の開口部および第２の開口部の端からそれぞれ伸びている矩形状シートである。
【００１２】
本考案は、第１の係合凹部が設けられた内箱を収容するための外箱であって、第１の開口部および引き裂き線が設けられるとともに第１の係合シートを備え、第１の係合シートは、当該外箱の中に挿入されるために曲げられ、内箱がしっかり取り付けられるように第１の係合凹部に係合され、第１の係合シートを当該外箱から外すために引き裂き線に沿って引き裂いて開くことができる、外箱を提供する。
【００１３】
内箱と外箱の組み立てにおいて、内箱は、外箱の中に収容され、第１の係合シートは、空洞の方に曲げられ、内箱が外箱の中にしっかり取り付けられるように第１の係合凹部に係合される。外箱から内箱を分離する場合、外箱は、第１の係合シートを外箱および第１の係合凹部から外すために、引き裂き線に沿って引き裂いて開けられ、その結果、内箱は、第１の開口部において外箱から取り出される。
【００１４】
好ましくは、外箱は、第１の開口部に隣接する引き裂き線の端に切込部がさらに設けられている。
【００１５】
好ましくは、内箱は、第１の係合凹部の反対側に第２の係合凹部がさらに設けられ、外箱は、第１の開口部の反対側に第２の開口部がさらに設けられ、第２の開口部に隣接し、かつ第２の係合凹部に係合される第２の係合シートを備えている。
【００１６】
好ましくは、外箱は、２つの折り部を有する紡錘形の中空体であり、第１の係合シートおよび第２の係合シートは、折り部のうちの１つに隣接している。
【００１７】
好ましくは、外箱の横断面は、紡錘形、円形、正方形、楕円形または菱形である。
【００１８】
好ましくは、第１の係合シートおよび第２の係合シートは、実質的に第１の開口部および第２の開口部の端からそれぞれ伸びている矩形状シートである。
【図面の簡単な説明】
【００１９】
【図１】図１は、柔軟なプラスチック包装箱の外箱の１つの実施形態を示す斜視図である。
【図２】図２は、柔軟なプラスチック包装箱の内箱を示す斜視図である。
【考案を実施するための形態】
【００２０】
本考案の多くの態様は、添付図面に関して言及した以下の実施形態において、より一層理解されることができる。
【００２１】
図１および図２を参照して、本実施形態の柔軟なプラスチック包装箱は、外箱１０および内箱２０を有する。
【００２２】
外箱１０は、実質的には紡錘形の中空体である。図で示した実施形態において、柔軟なプラスチックシートは、実質的に紡錘形の中空体に折られて第１の折り部１１を形成し、かつ柔軟なプラスチックシートの両端が互いに貼り付けられて一体的に貼付部１２および第１の折り部１１と反対側に第２の折り部１３を形成し、外箱１０は、最終的にこの柔軟なプラスチックシートによって作られる。それよりむしろ、外箱１０は、いわば一体的に形成されることを指摘すべきである。外箱１０は、外箱１０の反対側に位置する第１の開口部１４および第２の開口部１５を伴う空洞（符号を付していない）を有する。上記空洞は、内箱２０を収容するために設けられている。
【００２３】
外箱１０は、第１の係合シート１６および第２の係合シート１７を備える。第１の係合シート１６および第２の係合シート１７は、上記空洞に挿入されるために曲げられる。第１の係合シート１６は、第１の開口部１４に隣接し、第２の係合シート１７は、第２の開口部１５に隣接している。実施形態の図面に示すように、第１の係合シート１６は、実質的に矩形であり、第１の開口部１４の端から伸び、第２の係合シート１７は、実質的に矩形であり、第２の開口部１５の端から伸び、第１の係合シート１６および第２の係合シート１７は、第１の折り部１１に隣接している。
【００２４】
第１の係合シート１６および第２の係合シート１７は、更に第１の開口部１４および第２の開口部１５にそれぞれ単独に取り付けられていることが分かる。
【００２５】
外箱１９は、引き裂き線１８および切込部１９を設けている。引き裂き線１８は、第１の係合シート１６を取り囲み、かつ第１の開口部１４から伸びている。切込部１９は、第１の開口部１４に隣接する引き裂き線１８の端に設けられている。
【００２６】
内箱２０は、第１の係合凹部２２と第２の係合凹部２４を設けている。第１の係合シート１６および第２の係合シート１７は、第１の係合凹部２２および第２の係合凹部２４にそれぞれ係合される。実施形態の図面に示すように、内箱２０は、柔軟なシートを折ることによって作られ、柔軟なシートの両端は、実質的に紡錘形の筒を形成するために互いに接している。
【００２７】
柔軟なプラスチック包装箱１００を組み立てるために、内箱２０は、空洞に収容され、第１の係合シート１６は、空洞に挿入され、第１の係合凹部２２に係合されるために曲げられる。第２の係合シート１７は、空洞に挿入され、第２の係合凹部２４に係合されるために曲げられる。
【００２８】
外箱１０から内箱２０が分離される場合、外箱１０は、外箱１０および第１の係合凹部２２から第１の係合シート１６を外すために引き裂き線１８に沿って引き裂いて開くことができ、その後、内箱２０は、第１の開口部１４において外箱１０から取り出される。したがって、柔軟なプラスチック包装箱は、容易に組み立てられ、分解される。
【００２９】
外箱１０の横断面は、実質的に紡錘形に制限されておらず、実質的に円形、正方形、楕円形、または菱形でもよい。第１の係合シート１６の数および第２の係合シート１７の数は、必ずしも１つに制限されておらず、１以上でもよく、それに応じて第１の係合凹部２２および第２の係合凹部２４の数は変更される。
【００３０】
更に、外箱１０は、外箱１０の端に第１の開口部１４のみを設け、外箱１０の他端を密閉してもよく、それに応じて、内箱は、第１の係合凹部のみを設けてもよい。
【００３１】
本考案の上記実施例、特に任意の好ましい実施形態は、単に実施可能な例であり、発明の法則について明確に理解するために明記されたに過ぎないことを強調すべきである。多くの変形および変更は、発明の精神および原則から本質的に外れることなく、本考案の上記実施例によりもたらされる。そのような変形および変更は、本考案および本考案の範囲内に含まれ、下記の請求項の範囲によって保護されることを意図している。
【符号の説明】
【００３２】
１０  外箱、
１１  第１の折り部、
１２  貼付部、
１３  第２の折り部、
１４  第１の開口部、
１５  第２の開口部、
１６  第１の係合シート、
１７  第２の係合シート、
１８  引き裂き線、
１９  切込部、
２０  内箱、
２２  第１の係合凹部、
２４  第２の係合凹部、
１００  柔軟なプラスチック包装箱。
【図１】
0003180692.tif 000003
【図２】
0003180692.tif 000004